(57)【特許請求の範囲】
【請求項１】
放射性物質により汚染された土壌を処理する汚染土壌処理装置において、
放射性物質を含む上記土壌を収容し洗浄水を受ける洗浄槽を有し、該洗浄槽内で上記土壌を洗浄水により洗浄して上記土壌中の放射性物質を洗浄水に溶離させるとともに、放射性物質が溶離された土壌を沈降土として槽下部に沈降させ、上記放射性物質を含む上澄液を排水するとともに上記沈降土を排出する洗浄装置と、
上記洗浄装置からの上記沈降土を受け該沈降土を脱水処理し脱水処理水を排出する脱水処理装置と、
上記洗浄装置からの上澄液を受け該上澄液に含まれる土壌を濾過材で捕捉して除去し、該土壌が除去された上澄液を濾過処理水として排水するとともに、捕捉した土壌を濾過残渣として上記洗浄槽又は上記脱水処理装置へ送出する濾過装置と、
該濾過装置からの濾過処理水に含まれる放射性物質を、放射性物質を吸着する吸着剤充填層により吸着除去し、放射性物質が除去された上記濾過処理水を吸着処理水として排水する吸着装置と、
上記脱水処理装置からの脱水処理水を受け該脱水処理水に含まれる放射性物質を固化処理する固化処理装置とを備え、
上記洗浄装置と上記脱水処理装置は、洗浄装置が濾過装置からの濾過残渣を洗浄水により洗浄して濾過残渣中の放射性物質を洗浄水に溶離させて沈降土を脱水処理装置へ供給することと、脱水処理装置が濾過装置からの濾過残渣を脱水処理することとのいずれかを選択可能としていることを特徴とする汚染土壌処理装置。
【請求項２】
固化処理装置は、脱水処理装置からの脱水処理水を受けて逆浸透膜により放射性物質が濃縮された濃縮水を排水するとともに、該放射性物質が除去された脱水処理水を膜処理水として排水する逆浸透膜処理装置と、該逆浸透膜処理装置で分離された放射性物質を含む濃縮水を受けて濃縮水の水分を蒸発させ放射性物質を固化させる蒸発固化処理装置とを有し、
洗浄装置は、吸着装置からの吸着処理水と上記逆浸透膜処理装置からの膜処理水とを、外部から供給される補給水とともに洗浄水として洗浄槽に受けることとする請求項１に記載の汚染土壌処理装置。
【請求項３】
放射性物質により汚染された土壌を処理する汚染土壌処理方法において、
放射性物質を含む上記土壌を洗浄槽に収容し、該土壌を洗浄水により上記洗浄槽内で洗浄して上記土壌中の放射性物質を洗浄水に溶離させるとともに、放射性物質が溶離された土壌を沈降土として槽下部に沈降させ、上記放射性物質を含む上澄液を排水するとともに上記沈降土を排出する洗浄工程と、
上記洗浄工程で排出された上記沈降土を脱水処理装置で脱水処理し脱水処理水を排出する脱水処理工程と、
上記洗浄工程で排水された上記上澄液に含まれる土壌を濾過材で捕捉して除去し、該土壌が除去された上澄液を濾過処理水として排水するとともに、捕捉した土壌を濾過残渣として上記洗浄槽又は上記脱水処理装置へ送出する濾過工程と、
該濾過工程で排水された濾過処理水に含まれる放射性物質を、放射性物質を吸着する吸着剤充填層により吸着除去し、放射性物質が除去された上記濾過処理水を吸着処理水として排水する吸着工程と、
上記脱水処理工程で排水された脱水処理水に含まれる放射性物質を固化処理する固化処理工程とを備え、
上記洗浄工程と上記脱水処理工程は、洗浄工程が濾過工程で送出される濾過残渣を洗浄水により洗浄して濾過残渣中の放射性物質を洗浄水に溶離させて沈降土を脱水処理装置へ供給することと、脱水処理工程が濾過工程で送出される濾過残渣を脱水処理することとのいずれかを選択可能としていることを特徴とする汚染土壌処理装置。
【請求項４】
固化処理工程は、脱水処理工程で排水された脱水処理水を受けて逆浸透膜により放射性物質が濃縮された濃縮水を排水するとともに、該放射性物質が除去された脱水処理水を膜処理水として排水する逆浸透膜処理工程と、該逆浸透膜処理工程で分離された放射性物質を含む濃縮水を受けて濃縮水の水分を蒸発させ放射性物質を固化させる蒸発固化処理工程とを有し、
洗浄工程にて、吸着工程で排水された吸着処理水と上記逆浸透膜処理工程で排水された膜処理水とを、外部から供給される補給水とともに洗浄水として、洗浄槽に受けることとする請求項３に記載の汚染土壌処理方法。
【発明の詳細な説明】
【技術分野】
【０００１】
本発明は、放射性物質により汚染された土壌を洗浄する汚染土壌処理装置および汚染土壌処理方法に関する。
【背景技術】
【０００２】
放射性物質（放射性セシウム等）により汚染された土壌に対して、放射性物質の濃度を低減するように除染する技術が検討されている。
【０００３】
例えば、非特許文献１には放射性物質（主に放射性セシウム）で汚染された土壌を洗浄する土壌洗浄方法が開示されている。該土壌洗浄方法は、後述のセシウム溶離工程、セシウム回収工程、溶離液のリサイクル分解工程を有している。上記セシウム溶離工程では、放射性物質（主に放射性セシウム）で汚染された土壌を洗浄水としてのシュウ酸水溶液で洗浄して土壌からセシウムを溶離させてから、土壌と溶離液とに固液分離する。セシウム回収工程では、セシウム溶離工程を経た溶離液（上澄液）にゼオライト等の吸着剤を添加して、溶離液に含まれるセシウムを吸着して固液分離することにより、セシウムを吸着した吸着剤を回収する。溶離液のリサイクル分解工程では、セシウム回収工程を経た溶離液の一部をセシウム溶離工程に戻して洗浄水として利用する。
【０００４】
セシウム溶離工程は、通常、洗浄装置の洗浄槽で土壌を洗浄水により洗浄した後、洗浄槽内で土壌を沈降させることにより行われる。また、セシウム回収工程は、通常、吸着処理装置の吸着処理水槽に貯留された溶離液に吸着剤を添加してセシウムを吸着した後、セシウムを吸着した吸着剤を濾過装置により濾過して回収することにより行われる。
【先行技術文献】
【非特許文献】
【０００５】
【非特許文献１】「福島第一原発事故で汚染した水・土・下水汚泥からの放射性セシウム回収技術」、PETROTHCH、公益社団法人石油学会、第37巻、第5号、p.323-328
【発明の概要】
【発明が解決しようとする課題】
【０００６】
非特許文献１の土壌洗浄方法では、洗浄装置、吸着処理装置や濾過装置等の多くの装置が放射性セシウムに直接接触して高レベルで汚染されるので、放射性物質の取扱管理基準に基づいて各装置を厳格に管理する必要があり、その管理が煩雑となるとともに管理コストが嵩んでしまう。
【０００７】
本発明では、このような事情に鑑みて、管理が簡単で管理コストを低く抑えることができる汚染土壌処理装置および汚染土壌処理方法を提供することを課題とする。
【課題を解決するための手段】
【０００８】
本発明によれば、上述の課題は、次の第一発明に係る汚染土壌処理装置及び第二発明に係る汚染土壌処理方法により解決される。
【０００９】
＜第一発明＞
第一発明は、放射性物質により汚染された土壌を処理する汚染土壌処理装置において、放射性物質を含む上記土壌を収容し洗浄水を受ける洗浄槽を有し、該洗浄槽内で上記土壌を洗浄水により洗浄して上記土壌中の放射性物質を洗浄水に溶離させるとともに、放射性物質が溶離された土壌を沈降土として槽下部に沈降させ、上記放射性物質を含む上澄液を排水するとともに上記沈降土を排出する洗浄装置と、該洗浄装置からの上澄液を受け該上澄液に含まれる土壌を濾過材で捕捉して除去し、該土壌が除去された上澄液を濾過処理水として排水するとともに、捕捉した土壌を濾過残渣として排出する濾過装置と、該濾過装置からの濾過処理水に含まれる放射性物質を、放射性物質を吸着する吸着剤充填層により吸着除去し、放射性物質が除去された上記濾過処理水を吸着処理水として排水する吸着装置と、上記洗浄装置からの上記沈降土を受け該沈降土を脱水処理する脱水処理装置と、該脱水処理装置からの脱水処理水を受け該脱水処理水に含まれる放射性物質を固化処理する固化処理装置とを備えることを特徴としている。
【００１０】
第一発明に係る汚染土壌処理装置では、洗浄装置での洗浄によって土壌中の放射性物質の大部分が溶離され洗浄水へ移行しており、洗浄装置で生成された上澄液は、放射性物質の含有濃度が高くなっているとともに、沈降せず浮遊している土壌を含んでいる。そして、該上澄液は、濾過装置へ送られ、該上澄液中に含まれる土壌が濾過装置で捕捉されて除去された後、濾過処理水として吸着装置に送られ、該吸着装置の吸着剤充填層で放射性物質が効率良く除去される。一方、上記洗浄装置からの上記沈降土は洗浄水を含んでおり脱水処理装置で脱水処理される。また、脱水処理装置からの脱水処理水に含まれる放射性物質が固化処理装置で固化処理される。
【００１１】
したがって、上記汚染土壌処理装置では、洗浄装置、濾過装置、吸着装置、脱水処理装置及び固化処理装置が放射性物質に接触することとなる。しかし、これらの装置のうち吸着装置では、放射性物質が直接接触するのは吸着剤充填層の吸着剤であり、放射性物質を吸着した該吸着剤は、適宜、吸着装置から取り出され、吸着装置には新たな吸着剤が充填される。したがって、吸着装置自体が放射性物質により高レベルに汚染されることはない。また、沈降土に含まれる放射性物質は少ないので、該沈降土を脱水処理する脱水処理装置そして脱水処理水を固化処理する固化処理装置も、放射性物質により高レベルに汚染されることがない。つまり、本発明に係る汚染土壌処理装置では、高レベルで放射性物質に汚染されるのは、洗浄装置及び濾過装置のみであり、従来と比べて、高レベルで汚染される装置の数が少ないので、放射性物質の取扱管理基準に基いた各装置の管理が容易であり、管理コストを抑制できる。
【００１２】
第一発明において、固化処理装置は、脱水処理装置からの脱水処理水を受けて逆浸透膜により放射性物質が濃縮された濃縮水を排水するとともに、該放射性物質が除去された脱水処理水を膜処理水として排水する逆浸透膜処理装置と、該逆浸透膜処理装置で分離された放射性物質を含む濃縮水を受けて濃縮水の水分を蒸発させ放射性物質を固化させる蒸発固化処理装置とを有し、洗浄装置は、吸着装置からの吸着処理水と上記逆浸透膜処理装置からの膜処理水とを、外部から供給される補給水とともに洗浄水として洗浄槽に受けることとしてもよい。
【００１３】
このような構成とした場合、吸着装置からの吸着処理水および逆浸透膜処理装置からの膜処理水は、洗浄装置の洗浄槽へ帰還して洗浄水として再利用される。この吸着処理水および膜処理水によって洗浄水を賄うことができるので、外部から新たに洗浄槽へ補給する補給水はわずかな量で済み、洗浄水による土壌の洗浄を効率よく行うことができる。
【００１４】
＜第二発明＞
第二発明は、放射性物質により汚染された土壌を処理する汚染土壌処理方法において、放射性物質を含む上記土壌を洗浄槽に収容し、該土壌を洗浄水により上記洗浄槽内で洗浄して上記土壌中の放射性物質を洗浄水に溶離させるとともに、放射性物質が溶離された土壌を沈降土として槽下部に沈降させ、上記放射性物質を含む上澄液を排水するとともに上記沈降土を排出する洗浄工程と、該洗浄工程で排水された上記上澄液に含まれる土壌を濾過材で捕捉して除去し、捕捉した土壌が除去された上澄液を濾過処理水として排水するとともに、該土壌を濾過残渣として排出する濾過工程と、該濾過工程で排水された濾過処理水に含まれる放射性物質を、放射性物質を吸着する吸着剤充填層により吸着除去し、放射性物質が除去された上記濾過処理水を吸着処理水として排水する吸着工程と、上記洗浄工程で排出された上記沈降土を脱水処理する脱水処理工程と、該脱水処理工程で排水された脱水処理水に含まれる放射性物質を固化処理する固化処理工程とを備えることを特徴としている。
【００１５】
第二発明において、固化処理工程は、脱水処理工程で排水された脱水処理水を受けて逆浸透膜により放射性物質が濃縮された濃縮水を排水するとともに、該放射性物質が除去された脱水処理水を膜処理水として排水する逆浸透膜処理工程と、該逆浸透膜処理工程で分離された放射性物質を含む濃縮水を受けて濃縮水の水分を蒸発させ放射性物質を固化させる蒸発固化処理工程とを有し、洗浄工程にて、吸着工程で排水された吸着処理水と上記逆浸透膜処理工程で排水された膜処理水とを、外部から供給される補給水とともに洗浄水として、洗浄槽に受けることとしてもよい。
【発明の効果】
【００１６】
以上のように、本発明では、放射性物質に直接接触して高レベルに汚染されるのは、洗浄装置及び濾過装置のみであり、従来と比べて、高レベルに汚染される装置の数が少ないので、放射性物質の取扱管理基準に基いた各装置の管理が容易であり、管理コストを抑制できる。
【図面の簡単な説明】
【００１７】
【図１】本発明の実施形態に係る汚染土壌処理装置を示す概略構成図である。
【発明を実施するための形態】
【００１８】
以下、添付図面にもとづき、本発明の実施形態を説明する。
【００１９】
図１は、本発明の実施形態に係る汚染土壌処理装置を示す概略構成図である。本実施形態に係る汚染土壌処理装置は、放射性物質（セシウム等）を含む土壌の該放射性物質を除去するように、該土壌を洗浄する。洗浄後の放射性物質を高濃度で含有する排水から放射性物質を吸着剤により吸着除去し、洗浄後の土壌を脱水処理した排水中の放射性物質を逆浸透膜処理により濃縮し、該濃縮水の水分蒸発固化後の放射性物質を含む固化物を保管する。
【００２０】
図１に見られるように、汚染土壌処理装置は、放射性物質を含む土壌を洗浄水で洗浄して上澄液と沈降土とに分離する洗浄装置１と、該洗浄装置１に接続され、該洗浄装置１からの上澄液を受けて該上澄液に含まれる土壌を濾過材により捕捉して除去する濾過装置２と、濾過装置２からの濾過処理水に含まれる放射性物質を吸着剤により吸着除去する吸着装置３と、洗浄装置１からの沈降土を脱水処理する脱水処理装置４と、脱水処理装置４からの脱水処理水に含まれる放射性物質を固化処理する固化処理装置５とを有している。
【００２１】
洗浄装置１は、放射性物質を含む土壌を受け入れて収容し洗浄水を受ける洗浄槽１Ａと、洗浄槽１Ａ内を撹拌するための撹拌機１Ｂとを有している。該洗浄装置１は、洗浄槽１Ａ内で土壌を洗浄水により洗浄して該土壌中の放射性物質の殆どを洗浄水に溶離させるとともに、放射性物質が溶離された土壌を沈降土として槽下部に沈降させる。この結果、洗浄槽１Ａ内で、沈降土が下層を形成し、上記放射性物質を含む洗浄水は上澄液として上層を形成する。該上澄液は洗浄槽１Ａから排水されて濾過装置２へ送られ、上記沈降土は槽下部から排出されて脱水処理装置４へ送られる。
【００２２】
本実施形態では、洗浄水として、酸、例えばシュウ酸等の有機酸や鉱酸等の無機酸の水溶液が使用される。
【００２３】
撹拌機１Ｂは、洗浄槽内に垂下しており下端部に設けられた撹拌翼で洗浄槽１Ａ内を撹拌するようになっている。該撹拌機１Ｂが洗浄槽１Ａ内を撹拌すると、土壌に含まれる放射性物質の洗浄水への移行（溶離）が促進される。
【００２４】
洗浄装置１の洗浄槽１Ａには、洗浄水供給管８が接続されており、該洗浄水供給管８から洗浄水が供給されるようになっている。本実施形態では、洗浄水として、吸着装置３からの吸着処理水としての吸着処理水と、固化処理装置５からの後述の膜処理水と、さらには、吸着処理水および膜処理水により供給される水量に対する不足分（例えば、後述の蒸発固化処理装置７で蒸発する分）を補う量だけ外部から補給される補給水とが、洗浄水供給管８を経て上記洗浄槽１Ａに供給される。
【００２５】
濾過装置２は、洗浄装置１の洗浄槽１Ａの上部に配管を介して接続されており、洗浄槽１Ａから排水された上澄液を受ける。該濾過装置２は、上澄液に浮遊、懸濁している土壌を捕捉するための濾過材（図示せず）を有している。該濾過材は、例えば、濾布フィルタ等により構成される。また、濾布フィルタとして珪藻土濾過フィルタを採用してもよい。さらに、濾過材としては、濾布に限られず、例えば、金属濾材、高分子材料製又はセラミックス製のＵＦ膜やＭＦ膜、砂濾材等を採用してもよい。
【００２６】
濾過装置２は、濾過材に付着した土壌による閉塞を防止する閉塞防止機構（図示せず）を有していている。該閉塞防止機構は、例えば、濾過材を透過した濾過処理水を逆流させ濾過材に付着した土壌を除去する逆洗機構や、濾過材に機械的振動を与えて土壌を除去する機構や、圧縮空気を吹き込んで濾過材に振動を与えて土壌を除去する機構によって構成することができる。濾過材により土壌が除去された上澄液は、濾過処理水として排水される。
【００２７】
また、本実施形態では、濾過装置２で捕捉除去された濾過残渣である土壌は、逆洗機構により逆流させた濾過処理水とともに、洗浄槽１Ａ内の上澄液へ戻されるようになっている。戻された土壌は洗浄槽１Ａ内で再度洗浄され、沈降土として槽下部に沈降する。このように濾過残渣を上澄液に戻す構成とすることにより、濾過残渣中に残存する放射性物質をさらに除去することができる。
【００２８】
吸着装置３は、濾過装置２に接続されており、濾過装置２からの濾過処理水を受ける。該吸着装置３は、放射性物質を吸着するための吸着剤が充填された充填層を有しており、濾過処理水に含まれる放射性物質を上記吸着剤によって吸着除去するようになっている。本実施形態では、上記吸着剤として、例えばゼオライト等が使用されている。また、吸着装置３は、既述の洗浄水供給管８に接続されており、吸着装置３から排出された吸着処理水が上記洗浄水供給管８に送られるようになっている。
【００２９】
脱水処理装置４は、洗浄装置１の洗浄槽１Ａの槽下部および濾過装置２に配管を介して接続されており、該洗浄槽１Ａの槽下部に沈降している沈降土を受けるようになっている。洗浄槽１Ａから抜き出された沈降土には洗浄水が含まれている。該脱水処理装置４は、例えばベルトフィルタ、フィルタプレス等の脱水機（図示せず）を有しており、該脱水機で洗浄水を含む沈降土を脱水処理し脱水土と脱水処理水を排出する。また、本実施形態では、濾過装置２で捕捉除去された濾過残渣は洗浄装置１の洗浄槽１Ａに戻されることとしたが、これに代えて、図１にて一点鎖線で示されるように、濾過残渣が脱水処理装置４へ送られて沈降土とともに脱水処理されることとしてもよい。
【００３０】
固化処理装置５は、脱水処理装置４に接続されており、脱水処理装置４から排水される放射性物質を含む脱水処理水を受けるようになっている。固化処理装置５は、脱水処理水に含まれる放射性物質を逆浸透膜（ＲＯ膜。図示せず）により放射性物質が濃縮された濃縮水を排水するとともに、放射性物質が除去された脱水処理水を膜処理水として排水するための逆浸透膜処理装置６と、該逆浸透膜処理装置６で分離除去された放射性物質を含む濃縮水を加熱器（図示せず）で加熱して水分を蒸発させることにより放射性物質を濃縮して固化させる蒸発固化処理装置７とを有している。
【００３１】
また、逆浸透膜処理装置６は、既述の洗浄水供給管８に接続されており、逆浸透膜処理装置６で逆浸透膜処理を施され排水された膜処理水が上記洗浄水供給管８に送られるようになっている。
【００３２】
このような構成を有する本実施形態の汚染土壌処理装置によって、放射性物質を含む土壌は以下の要領で処理される。まず、洗浄装置１の洗浄槽１Ａに洗浄水を供給して収容した後、放射性物質を含む土壌を該洗浄水中に投入する。そして、撹拌機１Ｂにより洗浄槽１Ａ内を撹拌して、土壌粒子を浄水中に浮遊又は懸濁させ、洗浄水中への放射性物質の溶離を促進させる。
【００３３】
次に、撹拌機１Ｂの作動を停止して、土壌を沈降土として洗浄槽１Ａの槽下部に沈降させる。該土壌は槽下部に沈降して下層を形成する。一方、放射性物質が溶解した洗浄水は上澄液として上層を形成する。
【００３４】
上記洗浄槽１Ａ内の上澄液は、該洗浄槽１Ａから排水されて濾過装置２へ送られる。濾過装置２に送られた上澄液は、該上澄液中に浮遊、懸濁している土壌が濾過材で捕捉されて除去され、該濾過材を透過した洗浄排水が濾過処理水として吸着装置３へ送られる。上記土壌に含まれていた放射性物質はそのほとんどが洗浄装置１での洗浄により上澄液中に溶離しているので、上記濾過材で捕捉される土壌中の放射性物質の濃度は十分に低減されている。該濾過装置２で除去された土壌（濾過残渣）は、既述したように洗浄槽１Ａ内の上澄液に戻される。上記洗浄槽１Ａの槽下部に沈降し抜き出された沈降土は洗浄水を含んでおり、脱水処理装置４へ送られて、脱水機により脱水処理される。
【００３５】
吸着装置３へ送られた濾過処理水は、吸着剤の充填層を透過することにより、濾過処理水に含まれる放射性物質が上記充填層における吸着剤によって吸着除去される。この結果、濾過処理水は、洗浄水として再利用可能な程度まで放射性物質が上記吸着剤により吸着除去されてから、吸着処理水として吸着装置３から排水される。該吸着処理水は、洗浄水供給管８へ送られて、洗浄装置１の洗浄槽１Ａへ洗浄水として供給され再利用される。また、上述の吸着処理を繰り返して放射性物質を吸着した上記吸着剤は、適宜、吸着装置３から取り出された後、保管される。また、吸着装置３には新たな吸着剤が充填される。
【００３６】
また、洗浄装置１から排出された沈降土は洗浄水を含んでおり、脱水処理装置４へ送られて、脱水機により脱水処理される。該沈降土が脱水処理された後の土壌（脱水土）は、放射性物質の含有濃度が十分に低減されており、除染処理土壌として処分される。
【００３７】
脱水処理装置４からの放射性物質が残存する脱水処理水は、固化処理装置５の逆浸透膜処理装置６へ送られて、該逆浸透膜処理装置６で逆浸透膜処理されて放射性物質が分離除去される。分離除去された放射性物質を含む濃縮水は、蒸発固化処理装置７へ送られて、加熱器で加熱され、水分が蒸発することにより、放射性物質が固化される。該放射性物質の固化物は容器に収容されて保管される。
【００３８】
脱水処理水は、逆浸透膜処理装置６で逆浸透膜処理されて、洗浄水として再利用可能な程度までに放射性物質が除去されており、膜処理水として固化処理装置５から排水される。該膜処理水は、洗浄水供給管８へ送られて、洗浄装置１の洗浄槽１Ａへ洗浄水として供給される。
【００３９】
本実施形態に係る汚染土壌処理装置では、洗浄装置１、濾過装置２、吸着装置３、脱水処理装置４及び固化処理装置５が放射性物質に接触することとなる。しかし、これらの装置のうち吸着装置３では、放射性物質が直接接触するのは吸着剤充填層の吸着剤であり、放射性物質を吸着した該吸着剤は、適宜、吸着装置から取り出され、吸着装置３には新たな吸着剤が充填される。また、沈降土に含まれる放射性物質は少ないので、該沈降土を脱水処理する脱水処理装置４そして脱水処理水を固化処理する固化処理装置５も、放射性物質により高レベルに汚染されることがない。つまり、上記汚染土壌処理装置では、高レベルで放射性物質に汚染されるのは、洗浄装置１及び濾過装置２のみであり、従来と比べて、高レベルで汚染される装置の数が少ないので、放射性物質の取扱管理基準に基いた各装置の管理が容易であり、管理コストを抑制できる。
【００４０】
本実施形態に係る汚染土壌処理装置では、洗浄装置１で生成された上澄液は、放射性物質の含有濃度が高くなっており、また、土壌が浮遊、懸濁しており、濾過装置２へ送られる。そして、該上澄液は、濾過装置２で該上澄液中に混ざっている土壌が捕捉されて除去され、濾過処理水として吸着装置３に送られ、該吸着装置３で放射性物質が効率良く除去される。また、放射性物質が除去された濾過処理水を吸着処理水として排水し洗浄装置１の洗浄槽１Ａに洗浄水として戻すことにより、外部からの補給水の補給をできる限り少なくして土壌の洗浄を行うことができる。
【００４１】
また、吸着装置３からの吸着処理水および固化処理装置５からの膜処理水は、洗浄装置１の洗浄槽１Ａへ帰還して洗浄水として再利用される。この吸着処理水および膜処理水によって洗浄水を賄うことができるので、外部から新たに洗浄槽１Ａへ補給する補給水はわずかな量で済み、洗浄水による土壌の洗浄を効率よく行うことができる。
【００４２】
本実施形態では、固化処理装置５は、逆浸透膜処理装置６で分離除去された放射性物質を、蒸発固化処理装置７の加熱器で加熱して水分を蒸発させることにより、固化させることとしたが、この蒸発固化処理装置７に代えて、例えば、セメント固化処理装置を設けて、上記放射性物質をセメントで固化することとしてもよい。セメントで固化された固化物は、そのまま保管してもよいし、容器に収容して保管してもよい。
【符号の説明】
【００４３】
１  洗浄装置
２  濾過装置
３  吸着装置
４  脱水処理装置
５  固化処理装置
【図１】
0006497513.tif 000002